(57)【特許請求の範囲】
【請求項１】
家具部品の穴内に差し込むことができ、かつ軸によって、傾動可能な偏心レバーにヒンジ接合される拡開部品を介して拡開可能な、少なくとも１本の分離したダボを有し、該ダボを家具用金具の板状部品に保持し、かつ締め付け位置で少なくともほぼ、この部品と平行な偏心レバーを板状部品のくぼみ内に受容する家具用金具において、くぼみをスリット（１０）によって形成しかつダボ（３）をスリット（１０）の一端に配置して、この末端に板状部品（１３）の鉢状へこみ（８）を形成し、該へこみの底（８′）を通して拡開部品（５）を突出させ、かつ該へこみの内部域にある軸（６）は拡開部品（５）を偏心レバー（７）と結合して、ダボ（３）を鉢状へこみの底（８′）に当接させることを特徴とする家具用金具。
【請求項２】
ダボ（３）が、ダボ（３）の長さ方向に貫通する、半径方向片側に開いたスリット（１２）を有し、該スリットを通して拡開部品（５）が突出することを特徴とする請求項１に記載の家具用金具。
【請求項３】
板状部品（１３）が、鉢状へこみ（８）に接続する湾曲枠状部（１４）を具備し、該枠状部は組み立て位置において家具部品（２）の組み立て平面から突出することを特徴とする請求項１に記載の家具用金具。
【請求項４】
軸（６）の末端が鉢状へこみ（８）の側壁に対して間隔をあけて存在することを特徴とする請求項１に記載の家具用金具。
【請求項５】
偏心レバー（７）が締め付け位置で板状部品（１３）と同一平面となることを特徴とする請求項１から４のいずれかに記載の家具用金具。
【請求項６】
板状部品（１３）を引き出し案内用運搬レールに形成することを特徴とする請求項１から５のいずれかに記載の家具用金具。
【請求項７】
スリット（１０）が偏心レバー（７）よりも長いことを特徴とする請求項５に記載の家具用金具。
【発明の詳細な説明】
【０００１】
【発明の属する技術分野】
本発明は、家具部品の穴内に差し込むことができ、かつ軸によって、傾動可能な偏心レバーにヒンジ接合される拡開部品を介して拡開可能な、少なくとも１本の分離したダボを有して、該ダボを家具用金具の板状部品に保持し、かつ締め付け位置で少なくともほぼ、この部品に平行に方向出しされる偏心レバーを板状部品のくぼみ内に受容する家具用金具に関する。
【０００２】
【従来の技術】
従来、工具なしで家具部品に組み付け可能な家具用金具として、構造が簡単で強度があり、しかもとりわけ非常に平坦な構造のものはなかった。
【０００３】
【発明が解決しようとする課題】
本発明の課題は、工具なしで家具部品に組み付け可能な形式の家具用金具を、とりわけ非常に平坦な構造として改善し、提供することである。
【０００４】
【課題を解決するための手段】
本発明の課題は、くぼみをスリットによって形成し、かつダボをスリットの一端に配置して、この末端に板状部品の鉢状へこみを形成し、該へこみの底を通して拡開部品を突出させ、かつ該へこみの内部域にある軸に拡開部品を偏心レバーと結合させて、ダボを鉢状へこみの底に当接(密着)させることによって解決される。
【０００５】
鉢状へこみは家具用金具の組み立てに際して家具部品内の固定穴内に押し込まれ、かつ家具用金具のための位置決め手段として役立つ。
【０００６】
本発明の家具用金具は、特に、例えば、板状部品に平行に作用する比較的大きな力を受容する必要のある、引き出し案内用の運搬レールのような平坦構造部品の固定のために好適である。鉢状へこみは家具側壁の穴内に突出するため、金具は下向きに作用する力を良好に受容することができる。
【０００７】
偏心レバーを板状部品のスリット内で受容することによって、例えば、引き出しレールの走行ローラが突き当たる突出部品は存在しない。
【０００８】
【発明の実施の形態】
拡開部品でのダボの迅速な組み立てを可能にするために、本発明の実施例において、ダボは、ダボの長さ方向に貫通する、半径方向片側に開いたスリットを有し、該スリットを通して拡開部品が突出するようになっている。
【０００９】
本発明の別の実施例では、板状部品が、鉢状へこみに接続する湾曲枠状部を具備し、該枠状部は組み立て位置において家具部品の組み立て平面から突出するようにされる。湾曲枠状部によって板状部品は湾曲枠の締め付けに際して弾性的に家具部品に押圧される。
【００１０】
本発明の特に好適な実施例では、板状部品を引き出し案内用の運搬レールに形成するようにする。
以下に、本発明の実施例を添付の図面により説明する。
【００１１】
【実施例】
図示の実施例において、家具用金具１は、例えば木製の家具部品２を形成する家具側壁に組み立てられる引き出し案内用の運搬レールとして設計する。家具用金具１に形成される板状の部品１３は、二本のダボ３を支持する。家具用金具１または運搬レールは、家具部品２の固定穴４内に差し込まれるダボ３によって固定する。
【００１２】
ダボ３は、ある程度の弾力性と強度を備えた合成樹脂又は金属等の材料から製造されるとともに、拡開部品５を介して家具用金具１に固定されるようになっている。拡開部品５は、軸６を介して偏心レバー７にヒンジ接合される。
軸６は、板状部品１３の鉢状へこみ８の内部域にあり、該鉢状へこみは家具用金具１の組み立てに際してダボ３と同様に固定穴４内に突出する(配置される)。ダボ３は、それぞれ正面側で、鉢状へこみ８の底８′に当接する。
【００１３】
家具用金具１は、板状部品１３の内部にスリット１０を備え、該スリットは、鉢状へこみ８に接続し、かつ該スリット内で偏心レバー７を締め付け位置で受容する。スリット１０は、偏心レバー７への接近を容易にするために、偏心レバー７よりも少し長い。
【００１４】
軸６の末端６′は、鉢状へこみ８の側壁に対して間隔をあけて存在する。すなわち、軸６は鉢状へこみ８の内部域で家具部品２の方向に移動できる。
弛緩位置で偏心レバー７は、図１から４までに示すように、家具用金具１から垂直に突出し、かつダボ３と同一方向に向いている(一列に方向出しされる)。
【００１５】
この状態でダボ３を固定穴４内に差し込み、家具用金具１又は運搬レールを家具部品２に固定する。家具部品２へ家具用金具１を固定するために、偏心レバー７は、スリット１０内に受けられるまで傾動する(回動される)。それによって、拡開部品５は、固定穴４からわずかに引き出されて、鉢状へこみの底８′に突き当たるダボ３とは相対的に逆の方向に移動し、かつダボ３は固定穴４の壁に押圧される。
拡開部品５は、軸６に向き合うその末端に切頭円錐状の拡張部品９を備え、該拡張部品によってそれをダボ３のくぼみ１１内で受容する（図１９）。
【００１６】
ダボ３は、その長さ方向に貫通し、かつ半径方向片側に開いた各一つのスリット１２を有し、該スリット１２内に拡開部品５が受容される。家具用金具１の板状部品１３は二つの湾曲枠状部１４を備え、該枠状部は組み立て位置で鉢状へこみ８の上方域と下方域で家具部品２の組み立て平面から突出する。この湾曲枠状部１４によって、ダボ３の締め付けに際して板状部品１３の内部域にばね応力が発生する。
偏心レバー７は、締め付け位置で板状部品１３と同一平面となる。
【００１７】
本発明は、上記実施例に限定されるものではなく、本発明の趣旨を逸脱しない範囲でダボ、拡開部品、偏心レバー、板状部品、鉢状へこみ、スリット、家具部品等の材質、形状、寸法、数量等を適宜変更して実施してもよい。
【００１８】
【発明の効果】
上記において詳述したように、本発明においては、家具部品の穴内に差し込むダボと、傾動可能な偏心レバーにヒンジ接合される拡開部品とを組み合わせ、この偏心レバーによって拡開部品をてこのようにして駆動し、ダボを家具部品の穴内において拡開させ、ダボと家具部品とを簡単かつ強固に結合させて家具部品に他の部品を固定することができる。
さらに、家具部品に組み付けられる板状部品に、湾曲枠状部を設けておくことで、該枠状部はその組み立て位置において家具部品の組み立て平面から突出することとなり、その枠状部の弾性を利用して板状部品を家具部品に強固に密着させることができる。
従って、本発明による家具用金具は、工具を使用する必要が無く、家具部品に組み付けが可能であり、しかも構造が簡単で強度があり、とりわけ非常に平坦な構造とすることができるという優れた効果を奏する。
【００１９】
又、偏心レバーが締め付け位置で板状部品と同一平面となることにより、板状部品を引き出し等の案内レールとして使用する場合等において、側面に突出物がなく、大変好都合である。
さらに、板状部品のスリットを偏心レバーよりも長くすることにより、偏心レバーを締め付けた状態において、その偏心レバーを板状部品のスリット内に全て収納することができるとともに、偏心レバーを再び引き起こして板状部品を取り外す作業が容易となる。
【図面の簡単な説明】
【図１】引き出し案内用の運搬レールとして設計される、本発明の家具用金具の斜視図である。
【図２】図１の切り抜き部Ａの拡大斜視図である。
【図３】向き合う側面から見た、家具用金具または運搬レールの斜視図である。
【図４】図３の切り抜き部Ａの拡大斜視図である。
【図５】家具用金具の固定要素の分解斜視図である。
【図６】組み立てた家具用金具の水平断面図である。
【図７】図６の切り抜き部Ａの拡大図である。
【図８】図６のＩ−Ｉ線における断面図である。
【図９】図８の切り抜き部Ａの拡大断面図である。
【図１０】偏心レバーを固定位置に移動させるまでの中間位置を示す家具用金具の水平断面図である。
【図１１】図１０の切り抜き部Ａの拡大図である。
【図１２】図１０のＩ−Ｉ線における断面図である。
【図１３】図１２の切り抜き部Ａの拡大図である。
【図１４】組み立てた状態の家具用金具と家具部品の斜視図である。
【図１５】図１４の切り抜き部Ａの拡大斜視図である。
【図１６】偏心レバーの締め付け位置を示す家具用金具の水平断面図である。
【図１７】図１６の切り抜き部Ａの拡大断面図である。
【図１８】図１６のＩ−Ｉ線における断面図である。
【図１９】図１８の切り抜き部Ａの拡大断面図である。
【符号の説明】
１    家具用金具
２    家具部品
３    ダボ
４    固定穴
５    拡開部品
６    軸
６′  軸端
７    偏心レバー
８    鉢状へこみ
８′  底
９    拡張部品
１０  スリット
１１  くぼみ
１２  スリット
１３  板状部品
１４  湾曲枠状部
【図１】
0004139923.tif 000002
【図２】
0004139923.tif 000003
【図３】
0004139923.tif 000004
【図４】
0004139923.tif 000005
【図５】
0004139923.tif 000006
【図６】
0004139923.tif 000007
【図７】
0004139923.tif 000008
【図８】
0004139923.tif 000009
【図９】
0004139923.tif 000010
【図１０】
0004139923.tif 000011
【図１１】
0004139923.tif 000012
【図１２】
0004139923.tif 000013
【図１３】
0004139923.tif 000014
【図１４】
0004139923.tif 000015
【図１５】
0004139923.tif 000016
【図１６】
0004139923.tif 000017
【図１７】
0004139923.tif 000018
【図１８】
0004139923.tif 000019
【図１９】
0004139923.tif 000020